(57)【特許請求の範囲】
【請求項１】
ピット造成部の導管の周囲に空間を設けた後、先ず前記導管のピットの内法以下の長さの上半分をカットして除去し、次に下面が導管の内面に密接し、且つ後部にストッパーを設けた樋状の筧部材を導管の未カット部内に装着し、少なくとも下半分のピットを造成した後、前記導管の未カット部を筧部材の受部を残してカットして除去し、次いで筧部材を撤去することを特徴とする流水導管の途中にピットを造成する工法。
【請求項２】
樋状本体の下面に導管に密接する水密ゴムを設けると共に、前縁に流水物を前記樋状本体上面に案内するベルマウスを設け、且つ後縁に導管と係合するストッパーを設けたことを特徴とする筧部材。
【請求項３】
樋状本体を分割組立式としたことを特徴とする請求項２記載の筧部材。
【請求項４】
樋状本体を流れの方向又は巾方向に伸縮する構成としたことを特徴とする請求項２記載の筧部材。
【発明の詳細な説明】
【０００１】
【発明の属する技術分野】
本発明は、上下水道の流水導管の途中に、流水を活かした侭ピットを造成する工法とその工法の実施や，既設ピット内の工事に用いる筧部材に関するものである。
【０００２】
【従来の技術】
長距離推進工法の進歩により、上下水道管の敷設計画において、点検用マンホールや分岐管路を設けるためのピット間の間隔が次第に長距離化しつつあるが、敷設後、導管の途中にピットを設ける必要を生じることがある。
【０００３】
その場合、▲１▼バイパス工法、▲２▼ポンプアップ工法、▲３▼土嚢積上工法、▲４▼〆切付替工法などが考えられるが、前記▲１▼及び▲２▼の工法は流水導管の場合、ピット造成完了までの工期が長期間になると共に、厖大な工事費を必要とし、▲２▼の工法は、更に騒音公害の問題もある。
【０００４】
また▲３▼及び▲４▼の工法は、流量が少ない場合は使えるが、幹線管路のように、流量が多い場合には使用することができない。
【０００５】
なお、上記▲１▼〜▲４▼の工法について記載すべき先行技術文献情報は所有していないため先行技術文献情報については記載できない。
【０００６】
【発明が解決しようとする課題】
そこで、本発明は、工期が短く、工事費が安価で済む流水導管の途中のピット造成工法とその工法の実施や、ピット内の工事に有用な筧部材を提供することを課題とするものである。
【０００７】
【課題を解決するための手段】
本発明は、上記課題を解決するためになされたもので、第１の発明は、ピット造成部の導管の周囲に空間を設けた後、先ず前記導管のピットの内法以下の長さの上半分をカットして除去し、次に下面が導管の内面に密接し、且つ後部にストッパーを設けた樋状の筧部材を導管の未カット部内に装着し、少なくとも下半分のピットを造成した後、前記導管の未カット部を筧部材の受部を残してカットして除去し、次いで筧部材を撤去して流水導管の途中にピットを造成する工法である。
【０００８】
第２の発明は、前記第１の発明を実施する際や、既設ピット内の作業に用いられる筧部材の構成に関するもので、樋状本体の下面に導管に密接する水密ゴムを設けると共に、前縁に流水物を前記樋状本体上面に案内するベルマウスを設け、後縁に導管と係合するストッパーを設けた筧部材である。
【０００９】
また、第３の発明は第１の発明の実施等に使用する筧部材の装着・撤去を容易にするため、分割組立式とした筧部材であり、第４の発明は樋状本体を流れの方向又は巾方向に伸縮する構成とした筧部材である。
【００１０】
【発明の実施の形態】
図１は、本発明を適用した実施例のピット造成工程を示す説明図で、この図により、作業手順を説明すると次の通りである。
【００１１】
図１において、１は汚水等が流れているヒューム管を用いた導管、２は筧部材、３はピットで、先ず（ａ）に示すように導管１のピット３を造成する部分に空間Ａを設ける。
【００１２】
次にピット３の内法以下の長さの導管１の上半分１ａを（ｂ）のようにカットした後、残った下半分の導管１内に（ｃ）に示すように樋状の筧部材２をセットする。なお、筧部材２の構造については、図２〜図５に示す拡大図により後述する。
【００１３】
ピット３の下半分３ａを（ｄ）に示すように造成した後、図（ｅ）に示すように造成したピット周辺の埋戻しを行う。
【００１４】
ピット３の下半分３ａの造成が終了したならば、（ｆ）のように筧部材２の受部１ｃ、１ｃを残して導管１の末カット部１ｂをワイヤーカット機でカットして除去し、次いで、（ｇ）のように筧部材２を撤去した後、ピットの上半分３ｂを（ｈ）のように造成してピット造成を完了する。
【００１５】
上記ピット造成工程においては、ピット３の造成を筧部材２を導管１内に装着してから行うようにしたが、ピット３を造成してから筧部材２を装着してもよい。しかし乍ら、図面に示したように先に筧部材を装着する手順の方が作業が容易であり好ましい。
【００１６】
以上の説明から容易に理解されるように、本発明に係る工法によると、流水導管であっても前記▲１▼の工法のように、厖大な工事と日数を要するバイパス路を設けたり、前記▲２▼の工法のように大容量あるいは多数のポンプを必要とすることなく、ピット造成部周辺の工事だけで済む。従って工期及び工費が少なくて済むという土木工事上格別な効果が得られるものである。
【００１７】
図２〜図５は、図１で示す実施例で使用した筧部材２の詳細を示す拡大図で、図２は平面図、図３は縦断面図、図４は側面図、図５は前後縁の構成を示す断面図である。
【００１８】
この実施例の筧材部２は、樋状本件を下面周縁に枠２１ａを設けた４枚のパネル２１，２１，２１，２１と、２枚のパネル２２ａ，２２ａから成る継足しパネル２２，２２と、前縁に設けたベルマウス２３と、補強並びに吊上げ吊下げ用のガーダー２４とから成り、ボルト及びナット等の連結具によって組立てる構造としたものである。
【００１９】
そして、樋状本件の下面には流水導管１の内面に密着するように水密ゴム２５が取付けられ、継足しパネル２２の下流側には流水導管１のカット部と係合するストッパー２６が設けられている。
【００２０】
以上のように構成された筧部材２は、流水の水圧によって流水導管１の内面に密着し、流水導管１の下半分の未カット部１ｂをワイヤーカット機でカット中、流水が漏れることはないが、流量が少なく水圧が小さい場合は、例えば図３において想像線で示したように抑止用支保工４を設けるようにすればよい。
【００２１】
以上の説明から明らかなように、本発明は導管１中を流れる流水の水圧を利用して、ピット造成部に筧部材２を架設密着させるという新しいアイデアを導入することにより、流水中の導管、例えば下水道導管の途中に、流れを活かした侭ピットの造成を可能にしたもので、従来考えられている工法に比し、遥かに少ない工事費で施行することを可能にしたもので、実用上土木工事上貢献するところ極めて大である。
【００２２】
図２〜図５で示した筧部材は分割組立式としたものであるが、導管内に敷設し、撤去を容易にするものとして流れの方向や巾方向に伸縮する形式のものとしてもよい。
【００２３】
ここでは筧部材を流水導管の途中にピットを造成する場合に使用した例を示したが、既設ピット内の工事、例えば、分岐路を持つピットにおいて、分岐路導管の入り口に水門を構築する場合等に使用することができる。
【００２４】
【発明の効果】
流水導管の途中に、ピットの造成を短期間に行うことを可能にし、工事費の低減に効果がある。
【図面の簡単な説明】
【図１】本発明の実施例における施工手順を示す説明図。
【図２】ハーフカットした流水導管に挿入した筧部材の平面図。
【図３】図２の縦断面図。
【図４】図２の一部截断側面図。
【図５】筧部材の下部構造の詳細を示す拡大縦断面図。
【符号の説明】
１      導管
２      筧部材
３      ピット
４      支保工
２１    パネル
２１ａ  枠
２２    継足しパネル
２３    ベルマウス
２４    ガーダー
２５    水密ゴム
２６    ストッパー
【図１】
0003692476.tif 000002
【図２】
0003692476.tif 000003
【図３】
0003692476.tif 000004
【図４】
0003692476.tif 000005
【図５】
0003692476.tif 000006